Podtech/llm-jp-corpus-v4-ja_patent huggingface dataset:
【手続補正書】
【提出日】平成24年1月30日(2012.1.30)
【手続補正１】
【補正対象書類名】明細書
【補正対象項目名】発明の名称
【補正方法】変更
【補正の内容】
【発明の名称】受信装置、受信方法及び送受信方法
【手続補正２】
【補正対象書類名】特許請求の範囲
【補正対象項目名】全文
【補正方法】変更
【補正の内容】
【特許請求の範囲】
【請求項１】
外部から配信されたコンテンツと前記コンテンツのメタデータとを受信する受信装置であって、
外部から配信される前記メタデータは、前記コンテンツの再生時のビットレートを示す再生ビットレート情報を含み、
前記コンテンツと前記コンテンツのメタデータとを受信する受信部と、
前記受信部で受信したコンテンツを記録する記録部と、
前記記録部で記録したコンテンツの再生を行う再生部と、
前記受信部で受信中のコンテンツについて、前記受信中のコンテンツの受信速度が、前記再生ビットレート情報で示される再生時のビットレートより速ければ、再生部でのコンテンツの再生を許可するコンテンツ処理部と、を備えることを特徴とする受信装置。
【請求項２】
外部から配信されたコンテンツと前記コンテンツのメタデータとを受信する受信方法であって、
外部から配信される前記メタデータは、前記コンテンツの再生時のビットレートを示す再生ビットレート情報を含み、
前記コンテンツと前記コンテンツのメタデータとを受信し、
受信したコンテンツを記録し、
受信中のコンテンツについて、前記受信中のコンテンツの受信速度が、前記再生ビットレート情報で示される再生時のビットレートより速ければ、記録したコンテンツの再生を可能とすることを特徴とする受信方法。
【請求項３】
コンテンツと前記コンテンツのメタデータが配信され、配信された前記コンテンツと前記コンテンツのメタデータとを受信する送受信方法であって、
前記メタデータは、前記コンテンツの再生時のビットレートを示す再生ビットレート情報を含めて配信され、
前記コンテンツと前記コンテンツのメタデータとを受信し、
受信したコンテンツを記録し、
受信中のコンテンツについて、前記受信中のコンテンツの受信速度が、前記再生ビットレート情報で示される再生時のビットレートより速ければ、記録したコンテンツの再生を可能とすることを特徴とする送受信方法。
【手続補正書】
【提出日】平成24年1月6日(2012.1.6)
【手続補正１】
【補正対象書類名】明細書
【補正対象項目名】０１３７
【補正方法】変更
【補正の内容】
【０１３７】
これに対し、取り出された録画データが暗号化されたデータではない場合には、ステップＳ２２がスキップされて、ステップＳ１６に移行する。
【手続補正書】
【提出日】平成24年9月25日(2012.9.25)
【手続補正１】
【補正対象書類名】特許請求の範囲
【補正対象項目名】全文
【補正方法】変更
【補正の内容】
【特許請求の範囲】
【請求項１】
回転機械から出力されたノイズによって囲まれた正弦波変調信号を明確にして、回転機械が故障中か否かを決定するためにするためのシステムであって、
前記回転機械からの前記正弦波変調信号を検知するためのセンサと、
調整可能な第１の振動周波数を有する第１の発振器であって、検知された前記信号を受け取り、前記第１の発振器の動作係数の少なくとも１つを調整して、時間の経過とともに前記第１の振動周波数を前記正弦波変調信号の中心周波数とほぼ等しくなるように調整する、前記第１の発振器と、
調整可能な第２の振動周波数を有する第２の発振器であって、検知された前記信号を受け取り、前記第２の発振器の動作係数の少なくとも１つを調整して、時間の経過とともに前記第２の振動周波数を前記正弦波変調信号の側波帯周波数とほぼ等しくなるように調整する、前記第２の発振器と、
を備え、
前記第１および第２の発振器は動的同期化プロセスを使用し、前記正弦波変調信号を囲む前記ノイズが、前記第１および第２の振動周波数を時間の経過と共にそれぞれ反対の方向に押して、それによって前記第１および第２の振動周波数に対するノイズの影響を排除し、前記第１の振動周波数を、前記正弦波変調信号の中心周波数とほぼ等しくなるように調整し、前記第２の振動周波数を、前記正弦波変調信号の側波帯周波数とほぼ等しくなるように調整し、それによって前記正弦波変調信号を囲むノイズを低減して、前記正弦波変調信号を明確にする、
システム。
【請求項２】
明確化した前記正弦波変調信号を時間領域から周波数領域に変換するための変換装置をさらに含み、
明確化した前記正弦波変調信号のスペクトルピークが、解析のために抽出される、
請求項１に記載のシステム。
【請求項３】
前記第１及び第２の発振器が、同一の形式である、請求項１に記載のシステム。
【請求項４】
前記第１及び第２の発振器が、２つの異なる形式である、請求項１に記載のシステム。
【請求項５】
前記センサが、前記機械の回転などの振動によって生じた電磁信号の変化を検知する電磁型変換器である、請求項１に記載のシステム。
【請求項６】
前記回転機械が、電気モータであり、
前記センサが、前記モータの電流波形を検知する変流器である、
請求項１に記載のシステム。
【請求項７】
前記センサが、前記機械から振動信号をピックアップする加速度計である、請求項１に記載のシステム。
【手続補正書】
【提出日】平成23年11月28日(2011.11.28)
【手続補正１】
【補正対象書類名】特許請求の範囲
【補正対象項目名】全文
【補正方法】変更
【補正の内容】
【特許請求の範囲】
【請求項１】
第１端子が電源線に電気的に接続され、第２端子が発光素子に電気的に接続されたｎチャネル型トランジスタと、
第１端子が前記電源線に電気的に接続され、第２端子が前記発光素子に電気的に接続されたｐチャネル型トランジスタと、
一方の端子がデータ線に電気的に接続され、他方の端子が前記ｎチャネル型トランジスタ及び前記ｐチャネル型トランジスタのゲートに電気的に接続されたスイッチと、を有することを特徴とする表示装置。
【請求項２】
第１端子が電源線に電気的に接続され、第２端子が発光素子に電気的に接続されたｎチャネル型トランジスタと、
第１端子が前記電源線に電気的に接続され、第２端子が前記発光素子に電気的に接続されたｐチャネル型トランジスタと、
一方の電極が前記ｎチャネル型トランジスタ及び前記ｐチャネル型トランジスタのゲートに電気的に接続され、他方の電極が前記電源線に電気的に接続された容量素子と、
一方の端子がデータ線に電気的に接続され、他方の端子が前記ｎチャネル型トランジスタ及び前記ｐチャネル型トランジスタのゲートに電気的に接続されたスイッチと、を有することを特徴とする表示装置。
【請求項３】
第１端子が第１の電源線に電気的に接続され、第２端子が発光素子に電気的に接続されたｎチャネル型トランジスタと、
第１端子が前記第１の電源線に電気的に接続され、第２端子が前記発光素子に電気的に接続されたｐチャネル型トランジスタと、
一方の端子がデータ線に電気的に接続され、他方の端子が前記ｎチャネル型トランジスタ及び前記ｐチャネル型トランジスタのゲートに電気的に接続された第１のスイッチと、
一方の端子が第２の電源線に電気的に接続され、他方の端子が前記ｎチャネル型トランジスタ及び前記ｐチャネル型トランジスタのゲートに電気的に接続された第２のスイッチと、を有することを特徴とする表示装置。
【請求項４】
第１端子が第１の電源線に電気的に接続され、第２端子が発光素子に電気的に接続されたｎチャネル型トランジスタと、
第１端子が前記第１の電源線に電気的に接続され、第２端子が前記発光素子に電気的に接続されたｐチャネル型トランジスタと、
一方の電極が前記ｎチャネル型トランジスタ及び前記ｐチャネル型トランジスタのゲートに電気的に接続され、他方の電極が前記第１の電源線に電気的に接続された容量素子と、
一方の端子がデータ線に電気的に接続され、他方の端子が前記ｎチャネル型トランジスタ及び前記ｐチャネル型トランジスタのゲートに電気的に接続された第１のスイッチと、
一方の端子が第２の電源線に電気的に接続され、他方の端子が前記ｎチャネル型トランジスタ及び前記ｐチャネル型トランジスタのゲートに電気的に接続された第２のスイッチと、を有することを特徴とする表示装置。
【請求項５】
請求項１乃至４のいずれか一において、
前記データ線には、少なくとも第１の電位、第２の電位又は第３の電位が入力され、
前記第１の電位は、前記ｎチャネル型トランジスタがオンになり、前記ｐチャネル型トランジスタがオフになる電位であり、
前記第２の電位は、前記ｎチャネル型トランジスタがオフになり、前記ｐチャネル型トランジスタがオンになる電位であり、
前記第３の電位は、前記ｎチャネル型トランジスタがオフになり、前記ｐチャネル型トランジスタがオフになる電位であることを特徴とする半導体装置。
【請求項６】
請求項１乃至５のいずれか一に記載の表示装置を具備することを特徴とする電子機器。
【手続補正書】
【提出日】平成24年1月5日(2012.1.5)
【手続補正１】
【補正対象書類名】特許請求の範囲
【補正対象項目名】全文
【補正方法】変更
【補正の内容】
【特許請求の範囲】
【請求項１】
専門のプレーヤであるプラグイン装置をもつプレイバック装置を有するローカルユーザが歌の歌詞の表示をホスティングプレイバックソフトウェアのタイマクロックに同期させ、電子通信ネットワークを介してリモートコンピュータシステムをサーチするのを可能にする方法であって、
前記リモートコンピュータシステムは、
少なくとも歌を有するリモートデータベースと、
ローカルミュージックデジタルファイルに同期される歌詞及びタイミングメタデータをユーザがローカルに受信及び再生するのを可能にするインタフェースをもつホスティングプレイバックソフトウェアを有し、
当該方法は、
前記ローカルユーザにより、プロプライエタリソフトウェアインタフェースを介して前記リモートデータベースに問合せを送出するステップと、
前記システムにより、前記歌詞及び関連される同期情報についてリモートソングデータベースにおいてサーチするステップと、
発見されたとき、前記歌詞及び関連される同期情報を前記ユーザに送出するステップと、
前記ホスティングプレイバックソフトウェア及び前記専門化されたプレーヤのプラグイン装置により、前記歌詞を同期して表示し、全てのユーザが前記プレイバック装置において同期した歌詞へのアクセスを楽しむのを可能にするステップと、
を含むことを特徴とする方法。
【請求項２】
前記歌詞及び同期情報を変更／追加するステップと、前記ユーザにより、インターネットを通してリモートセントラルデータベースに全ての新たな／変更された歌詞及び同期情報をアップロードするステップとを更に含む、
請求項１記載の方法。
【請求項３】
ユーザにより生成された同期情報はWiki技術を使用し、同期情報の迅速な収集を可能にし、時間、金及び他の資源が節約される、
請求項１記載の方法。
【請求項４】
前記プレイバック装置は、iPhone（登録商標）、ラップトップコンピュータ、パーソナルコンピュータ及び携帯電話のうちの少なくとも１つを有する、
請求項１記載の方法。
【請求項５】
前記専門化されたプレーヤのプラグイン装置は、将来の同期されたプレイバックについてオフラインでローカルに、前記歌詞の自動的な同期及び同期された歌詞の保存を可能にする、
請求項１記載の方法。
【請求項６】
前記リモートサーバからダウンロードされた広告メッセージを前記歌詞に又は前記歌詞の前後に挿入するステップを更に含む、
請求項１記載の方法。
【請求項７】
前記広告メッセージは、少なくとも、ユーザの地理的な位置、一般的なデモグラフィックス、プレイバック装置のタイプ及び音楽の好みに同期される目標とされる広告メッセージである、
請求項６記載の方法。
【請求項８】
前記プレイバック装置は、前記同期された歌詞を表示する間、聴覚障害のある人が歌の再生を楽しむのを可能にする振動装置を有する、
請求項１記載の方法。
【請求項９】
前記データベースはタイミングデータベースを更に有し、前記プレイバックソフトウェアは、前記歌詞をある言語で聴き、別の言語で読むことを可能にする手段を提供する、
請求項１記載の方法。
【請求項１０】
前記歌詞と同期タイミング情報とをリミックスし、次いで、オリジナルの歌手によるオリジナルの歌を新たな単語の順序で再生するステップを更に含む、
請求項１記載の方法。
【請求項１１】
前記プレイバック装置は、ＧＰＳ機能を更に有し、
前記リモートコンピュータは、リアルタイムのソーシャルネットワーキングエンジンを更に有し、
前記当該方法は、ある歌が物理的に何処で再生されているかを発見し、同じ音楽の好みを有する他人とのコネクションを形成するステップを更に含む、
請求項１記載の方法。
【請求項１２】
前記ＧＰＳ機能は、ある歌が何処で再生されているか、どの歌が特定の位置で再生されているかについてＧＰＳビジネスインテリジェンスを更に可能にする、
請求項１１記載の方法。
【請求項１３】
前記データベースは、前記歌詞における単語及び句を感情を表す画像及び顔文字にリンクするシソーラスデータベースを更に含む、
請求項１記載の方法。
【請求項１４】
導出された同期情報を使用して、前記歌詞に同期される写真及びビデオのうちの１つを表示するステップを更に含む、
請求項１記載の方法。
【請求項１５】
前記音楽の周波数を分析し、結果を使用して前記写真及びビデオのうちの１つの色かぶりを変更するステップを更に有する、
請求項１４記載の方法。
【請求項１６】
前記電子通信ネットワークはインターネットである、
請求項１記載の方法。
【請求項１７】
前記歌詞を音楽ビデオストリームに同期させるステップを更に含む、
請求項１記載の方法。
【手続補正書】
【提出日】平成24年1月23日(2012.1.23)
【手続補正１】
【補正対象書類名】特許請求の範囲
【補正対象項目名】全文
【補正方法】変更
【補正の内容】
【特許請求の範囲】
【請求項１】
液体を収容するハウジング内に、及び該ハウジングに隣接して核燃料集合体を位置決めするステップと
各々、半径方向に発する全方向性の超音波エネルギー波を供給することのできる、前記ハウジングに位置決めされた変換器から前記核燃料集合体に半径方向に発する全方向性の超音波エネルギーを供給して前記核燃料集合体から付着物を除去するステップと、
前記半径方向に発する全方向性の超音波エネルギーを供給する間、前記核燃料集合体を、前記付着物の除去を高めることのできる、前記液体中の少なくとも１つの化学薬品と接触させるステップとを含み
前記除去を高めることには、前記付着物表面を改質すること、前記付着物を酸化すること、前記付着物を可溶化すること、前記付着物を錯化すること又は前記付着物をキレート化することの少なくとも１つを含むことを特徴とする、
照射核燃料集合体の洗浄方法。
【請求項２】
前記化学薬品は、過酸化物、無機酸又はその塩、有機酸又はその塩、酸化剤又はキレート剤の少なくとも１つからなる、請求項１に記載の方法。
【請求項３】
前記化学薬品は、過酸化水素、ギ酸バナジウム、硝酸、カリウム過マンガン酸塩、アルカリカリウム過マンガン酸塩、蓚酸、ピコリン酸又はピコリン酸ナトリウムの少なくとも１つからなる、請求項１に記載の方法。
【請求項４】
前記供給中前記液体を前記ハウジングの中を循環させるステップをさらに含む、請求項１に記載の方法。
【請求項５】
前記接触させるステップは前記液体を前記ハウジングの中を循環させながら、前記化学薬品を前記液体に注入することからなる、請求項４に記載の方法。
【請求項６】
前記化学薬品は、有機酸とキレート剤の結合からなる、請求項４に記載の方法。
【請求項７】
前記液体が前記ハウジングの中を流れているときにのみ前記化学薬品を注入し、及び濾過又はイオン交換の少なくとも１つによって前記化学薬品を集めることによって燃料プールから化学薬品を隔離することをさらに含む、請求項４に記載の方法。
【請求項８】
前記接触後に前記液体を濾過することをさらに含む、請求項４に記載の方法。
【請求項９】
前記濾過からの濾過液をイオン交換することをさらに含み、前記イオン交換は強酸性陽イオン樹脂、弱塩基性陰イオン樹脂の少なくとも１つ又は両方に前記濾過液を通すことからなる、請求項８に記載の方法。
【請求項１０】
錯化又はキレート化化学試薬を除去する又は再生することの少なくとも１つ、又は可溶性腐蝕又は放射化生成物又は残留金属イオンを除去することをさらに含む、請求項９に記載の方法。
【手続補正書】
【提出日】平成24年6月4日(2012.6.4)
【手続補正１】
【補正対象書類名】明細書
【補正対象項目名】００１５
【補正方法】変更
【補正の内容】
【００１５】
図２は実施例１の固定具１を示す。
固定具１の説明の前に、本実施例に係る固定具が装着される注射筒について説明をする。
本固定具を装着する注射筒は、外筒２０とプランジャー３０から成る（図３、４参照）市販のものである。
外筒２０は中空の円筒状であり、先端には注射針（図示なし）を接続する接続部２１を有し、基端には開口部２２を有する。開口部２２にはフランジ２３が設けられている。
プランジャー３０はガスケット３１、プランジャーロッド３２、及び指当て部３３から成る。ガスケット３１はプランジャーロッド３２の先端に接続されており、外筒２０内部に液密に、かつ外筒軸方向に摺動可能に収納されている。
プランジャーロッド３２は軽量を保ちつつ強度を得るために十文字状の部材で構成されている。プランジャーロッド３２の基底部には円形の指当て部３３が連接されている。
【手続補正２】
【補正対象書類名】図面
【補正対象項目名】図２
【補正方法】変更
【補正の内容】
【図２】
2011078620.tif 000001
【手続補正３】
【補正対象書類名】図面
【補正対象項目名】図９
【補正方法】変更
【補正の内容】
【図９】
2011078620.tif 000002
【手続補正書】
【提出日】平成24年10月5日(2012.10.5)
【手続補正１】
【補正対象書類名】特許請求の範囲
【補正対象項目名】全文
【補正方法】変更
【補正の内容】
【特許請求の範囲】
【請求項１】
金属ナノコロイドを配合した水溶液を収容する給水手段と、
多孔質の保水材に、放出ピン部材を突設して形成された多孔質成型体と、
該多孔質成型体に負極が接続され該多孔質成型体を負に帯電させる直流電源とを備え、
前記給水手段から金属ナノコロイドを配合した水溶液を吸い上げて放出ピン部材から金属ナノコロイドを配合したミストを放出することを特徴とする静電霧化装置。
【請求項２】
前記金属ナノコロイドが、白金ナノコロイド、又は金ナノコロイドであることを特徴とする請求項１に記載の静電霧化装置。
【請求項３】
金属ナノコロイドを配合した水溶液に、さらに、不揮発性機能性成分を含む水溶液が混合されたものであることを特徴とする請求項１又は２記載の静電霧化装置。
【請求項４】
前記放出ピン部材が、金属ナノコロイドを配合したものであることを特徴とする請求項１〜３のいずれかに記載の静電霧化装置。
【請求項５】
前記放出ピン部材が、振動手段によって振動しているものであることを特徴とする請求項１〜４のいずれかに記載の静電霧化装置。
【請求項６】
前記静電霧化装置が、車室内にミストを放出するものであることを特徴とする請求項１〜５のいずれかに記載の静電霧化装置。
【請求項７】
前記静電霧化装置が、空調ユニットのケース内又はダクト内に設置されているものであることを特徴とする請求項６に記載の静電霧化装置。
【請求項８】
その長さが異なる放出ピン部材を保水材上に突設して形成したものであることを特徴とする請求項１〜７のいずれかに記載の静電霧化装置。
【手続補正２】
【補正対象書類名】明細書
【補正対象項目名】００１２
【補正方法】変更
【補正の内容】
【００１２】
（１）本発明に係る静電霧化装置は、金属ナノコロイドを配合した水溶液を収容する給水
手段と、多孔質の保水材に、放出ピン部材を突設して形成された多孔質成型体と、該多孔
質成型体に負極が接続され該多孔質成型体を負に帯電させる直流電源とを備え、前記給水
手段から金属ナノコロイドを配合した水溶液を吸い上げて放出ピン部材から金属ナノコロ
イドを配合したミストを放出することを特徴とする。
（２）本発明に係る静電霧化装置は、前記（１）において、
前記金属ナノコロイドが、白金ナノコロイド、又は金ナノコロイドであることを特徴とす
る。
（３）本発明に係る静電霧化装置は、前記（１）又は（２）において、
金属ナノコロイドを配合した水溶液に、さらに、不揮発性機能性成分を含む水溶液が混合
されたものであることを特徴とする。
（４）本発明に係る静電霧化装置は、前記（１）〜（３）のいずれかにおいて、
前記放出ピン部材が、金属ナノコロイドを配合したものであることを特徴とする。
（５）本発明に係る静電霧化装置は、前記（１）〜（４）のいずれかにおいて、
前記放出ピン部材が、振動手段によって振動しているものであることを特徴とする。
（６）本発明に係る静電霧化装置は、前記（１）〜（５）のいずれかにおいて、
前記静電霧化装置が、車室内にミストを放出するものであることを特徴とする。
（７）本発明に係る静電霧化装置は、前記（６）において、
前記静電霧化装置が、空調ユニットのケース内又はダクト内に設置されているものである
ことを特徴とする。
（８）本発明に係る静電霧化装置は、前記（１）〜（７）のいずれかにおいて、
その長さが異なる放出ピン部材を保水材上に突設して形成したものであることを特徴とする。
【手続補正書】
【提出日】平成24年6月29日(2012.6.29)
【手続補正１】
【補正対象書類名】特許請求の範囲
【補正対象項目名】請求項１
【補正方法】変更
【補正の内容】
【請求項１】
複数の図柄を表示した複数のリールと、
各前記リールの複数の図柄が表示される図柄表示領域と、
前記リールを始動させるためのスタートスイッチと、
各前記リールごとに設けられ、前記リールを停止させるためのストップスイッチと、
前記スタートスイッチが操作されたときに、役の抽選を行う役抽選手段と、
前記ストップスイッチが操作されたときに、前記役抽選手段による役の抽選結果と、前記ストップスイッチが操作された瞬間の前記リールの位置とに基づいて、操作された前記ストップスイッチに対応する前記リールを停止させるように制御するリール停止制御手段と
を備え、
前記役抽選手段で抽選される役として、第１役及び第２役を有し、
前記役抽選手段は、第１役の当選を含むとともに第２役の当選を含まない第１役抽選結果と、第１役及び第２役の当選を含む第２役抽選結果とを有するように役の抽選を行い、
第１役抽選結果となった遊技及び第２役抽選結果となった遊技のいずれも、前記リールの停止制御時における最大移動図柄数の範囲内は、同一の範囲内であり、
前記リール停止制御手段は、
前記複数のリールのうちの少なくとも１つの特定リールが所定位置であるときに前記ストップスイッチが操作されたときは、前記特定リールの特定図柄を前記図柄表示領域の第１位置又は第１位置と異なる第２位置に停止可能であり、
第１役抽選結果となった遊技において、前記特定リールが前記所定位置であるときに前記ストップスイッチが操作されたときは、前記特定図柄を第１位置に停止させるように制御し、
第２役抽選結果となった遊技において、前記特定リールが前記所定位置であるときに前記ストップスイッチが操作されたときは、前記特定図柄を第２位置に停止させるように制御する
ことを特徴とするスロットマシン。
【手続補正２】
【補正対象書類名】明細書
【補正対象項目名】０００５
【補正方法】変更
【補正の内容】
【０００５】
本発明は、以下の解決手段によって、上述の課題を解決する。
本発明は、複数の図柄を表示した複数のリールと、各前記リールの複数の図柄が表示される図柄表示領域と、前記リールを始動させるためのスタートスイッチと、各前記リールごとに設けられ、前記リールを停止させるためのストップスイッチと、前記スタートスイッチが操作されたときに、役の抽選を行う役抽選手段と、前記ストップスイッチが操作されたときに、前記役抽選手段による役の抽選結果と、前記ストップスイッチが操作された瞬間の前記リールの位置とに基づいて、操作された前記ストップスイッチに対応する前記リールを停止させるように制御するリール停止制御手段とを備え、前記役抽選手段で抽選される役として、第１役及び第２役を有し、前記役抽選手段は、第１役の当選を含むとともに第２役の当選を含まない第１役抽選結果と、第１役及び第２役の当選を含む第２役抽選結果とを有するように役の抽選を行い、第１役抽選結果となった遊技及び第２役抽選結果となった遊技のいずれも、前記リールの停止制御時における最大移動図柄数の範囲内は、同一の範囲内であり、前記リール停止制御手段は、前記複数のリールのうちの少なくとも１つの特定リールが所定位置であるときに前記ストップスイッチが操作されたときは、前記特定リールの特定図柄を前記図柄表示領域の第１位置又は第１位置と異なる第２位置に停止可能であり、第１役抽選結果となった遊技において、前記特定リールが前記所定位置であるときに前記ストップスイッチが操作されたときは、前記特定図柄を第１位置に停止させるように制御し、第２役抽選結果となった遊技において、前記特定リールが前記所定位置であるときに前記ストップスイッチが操作されたときは、前記特定図柄を第２位置に停止させるように制御することを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
（作用）
本発明においては、第１役の当選を含むとともに第２役の当選を含まない第１役抽選結果と、第１役及び第２役の当選を含む第２役抽選結果とで、特定図柄の停止位置が異なる。
したがって、第１役抽選結果と第２役抽選結果とを設け、それそれ異なる位置に特定図柄を停止させることができる。
【手続補正９】
【補正対象書類名】明細書
【補正対象項目名】００１２
【補正方法】変更
【補正の内容】
【００１２】
なお、本発明において、第１役は、以下の実施形態ではリプレイに相当し、第２役は、ＢＢに相当する。
さらにまた、「特定リールが所定位置であるとき」とは、以下の実施形態では、例えば左リールについては、１９番の図柄が有効ラインＬ１に位置する瞬間に相当する。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】変更
【補正の内容】
【００１５】
本発明によれば、第１役抽選結果と第２役抽選結果とで、特定図柄の停止位置が異なるようにして、出目の多様化を図ることができる。これにより、リールの停止時に、当該遊技ではどの役に当選したかを確実に知ることができないようにして、次遊技以降の期待感を持たせることができる。
【手続補正書】
【提出日】平成24年3月7日(2012.3.7)
【手続補正１】
【補正対象書類名】特許請求の範囲
【補正対象項目名】全文
【補正方法】変更
【補正の内容】
【特許請求の範囲】
【請求項１】
打球が入賞し易い開状態と入賞し難い閉状態とをとりうる可変入賞口と、
打球の流入を感知可能なセンサが取り付けられた始動口と、
前記始動口への打球の流入に基づき乱数を取得し、当該乱数が当選しているか否かを判定する、遊技者にとって有利な特別遊技への移行を決定する特別遊技移行決定手段と、
特別遊技中のラウンド数を決定するための特別遊技内容決定手段と、
前記特別遊技内容決定手段で決定された内容に従い、前記可変入賞口を制御して特別遊技を実行する特別遊技実行手段と、
を有するパチンコ遊技機において、
前記特別遊技内容決定手段は、更に、
一ラウンドの時間内で、前記可変入賞口の前記開状態と前記閉状態を繰り返すことにより、擬似的にラウンド継続回数を増加させる擬似継続回数増加手段を有し、かつ
前記パチンコ遊技機は、前記可変入賞口内に入賞した球が所定数に達した場合又は前記可変入賞口の前記開状態の合計時間が所定時間に到達した場合に一ラウンドが終了するよう構成されており、
一のラウンドの前記可変入賞口の開状態の総時間と前記一のラウンド以外の少なくとも一つのラウンドの前記可変入賞口の開状態の総時間とが異なるように構成されているとともに、一ラウンドの時間内で前記可変入賞口が閉状態から開状態になる回数も前記一のラウンドと前記一のラウンド以外の少なくとも一つのラウンドとで異なるように構成されていることを特徴とするパチンコ遊技機。
【手続補正２】
【補正対象書類名】明細書
【補正対象項目名】０００５
【補正方法】変更
【補正の内容】
【０００５】
そこで、本発明者は、開放パターンを変化させることで特別遊技中の遊技が単調になるという欠点が解消されたパチンコ遊技機の提供を目的とする。 
【手続補正３】
【補正対象書類名】明細書
【補正対象項目名】０００６
【補正方法】変更
【補正の内容】
【０００６】
本発明は、
打球が入賞し易い開状態と入賞し難い閉状態とをとりうる可変入賞口と、
打球の流入を感知可能なセンサが取り付けられた始動口と、
前記始動口への打球の流入に基づき乱数を取得し、当該乱数が当選しているか否かを判定する、遊技者にとって有利な特別遊技への移行を決定する特別遊技移行決定手段と、
特別遊技中のラウンド数を決定するための特別遊技内容決定手段と、
前記特別遊技内容決定手段で決定された内容に従い、前記可変入賞口を制御して特別遊技を実行する特別遊技実行手段と、
を有するパチンコ遊技機において、
前記特別遊技内容決定手段は、更に、
一ラウンドの時間内で、前記可変入賞口の前記開状態と前記閉状態を繰り返すことにより、擬似的にラウンド継続回数を増加させる擬似継続回数増加手段を有し、かつ
前記パチンコ遊技機は、前記可変入賞口内に入賞した球が所定数に達した場合又は前記可変入賞口の前記開状態の合計時間が所定時間に到達した場合に一ラウンドが終了するよう構成されており、
一のラウンドの前記可変入賞口の開状態の総時間と前記一のラウンド以外の少なくとも一つのラウンドの前記可変入賞口の開状態の総時間とが異なるように構成されているとともに、一ラウンドの時間内で前記可変入賞口が閉状態から開状態になる回数も前記一のラウンドと前記一のラウンド以外の少なくとも一つのラウンドとで異なるように構成されていることを特徴とするパチンコ遊技機である。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
本発明（１）によれば、開放パターンを変化させることで特別遊技中の遊技が単調になるという欠点が解消できる。 
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正書】
【提出日】平成23年12月22日(2011.12.22)
【手続補正１】
【補正対象書類名】特許請求の範囲
【補正対象項目名】全文
【補正方法】変更
【補正の内容】
【特許請求の範囲】
【請求項１】
複数種類の識別情報を所定順で可変表示を行うことが可能な可変表示装置を含み、前記可変表示装置の表示結果があらかじめ定められた特定表示態様となったことを条件に遊技者にとって有利な特定遊技状態に制御可能となる遊技機であって、
遊技の進行を制御するとともに、遊技の進行に応じて少なくとも識別情報の可変表示時間を指定する可変表示制御信号を送信する遊技制御手段と、
前記遊技制御手段から送信される可変表示制御信号ごとに特定される識別情報の可変表示時間にもとづいて前記可変表示装置を制御して、識別情報を可変表示させることが可能な表示制御手段とを備え、
前記遊技制御手段は、
電力供給が停止したときに、バックアップフラグをバックアップ記憶手段に設定する処理と、前記バックアップ記憶手段の記憶内容が正常か否かの判定に用いるチェックデータを作成して前記バックアップ記憶手段に記憶させる処理とを含む電源断時処理を実行し、
電力供給が開始されたときに、前記バックアップ記憶手段に前記バックアップフラグが記憶されていたことを条件に、前記バックアップ記憶手段に記憶されているチェックデータが正常か否か判定することによって前記バックアップ記憶手段の記憶内容が正常か否かを判定する処理を実行し、前記バックアップ記憶手段の記憶内容が正常であったときに制御状態を電源断時の状態に戻すための復旧処理を実行し、前記バックアップ記憶手段に前記バックアップフラグが記憶されていないときには、前記チェックデータにもとづいて前記バックアップ記憶手段の記憶内容が正常か否かを判定する処理を実行せずに前記バックアップ記憶手段の記憶内容を初期化する初期化処理を実行し、
前記表示制御手段は、一の可変表示制御信号の受信に応じて識別情報を可変表示させる場合に、あらかじめ定められた特定時点にて、表示される識別情報を前記所定順に従うことなく何れか他の識別情報に差替える表示制御を行う
ことを特徴とする遊技機。
【手続補正２】
【補正対象書類名】明細書
【補正対象項目名】０００９
【補正方法】変更
【補正の内容】
【０００９】
本発明による遊技機は、複数種類の識別情報を所定順で可変表示を行うことが可能な可変表示装置を含み、可変表示装置の表示結果があらかじめ定められた特定表示態様となったことを条件に遊技者にとって有利な特定遊技状態に制御可能となる遊技機であって、遊技の進行を制御するとともに、遊技の進行に応じて少なくとも識別情報の可変表示時間を指定する可変表示制御信号を送信する遊技制御手段と、遊技制御手段から送信される可変表示制御信号ごとに特定される識別情報の可変表示時間にもとづいて可変表示装置を制御して、識別情報を可変表示させることが可能な表示制御手段とを備え、遊技制御手段が、電力供給が停止したときに、バックアップフラグをバックアップ記憶手段に設定する処理と、バックアップ記憶手段の記憶内容が正常か否かの判定に用いるチェックデータを作成してバックアップ記憶手段に記憶させる処理とを含む電源断時処理を実行し、電力供給が開始されたときに、バックアップ記憶手段にバックアップフラグが記憶されていたことを条件に、バックアップ記憶手段に記憶されているチェックデータが正常か否か判定することによってバックアップ記憶手段の記憶内容が正常か否かを判定する処理を実行し、バックアップ記憶手段の記憶内容が正常であったときに制御状態を電源断時の状態に戻すための復旧処理を実行し、バックアップ記憶手段にバックアップフラグが記憶されていないときには、チェックデータにもとづいてバックアップ記憶手段の記憶内容が正常か否かを判定する処理を実行せずにバックアップ記憶手段の記憶内容を初期化する初期化処理を実行し、表示制御手段が、一の可変表示制御信号の受信に応じて識別情報を可変表示させる場合に、あらかじめ定められた特定時点にて、表示される識別情報を所定順に従うことなく何れか他の識別情報に差替える表示制御を行うことを特徴とするものである。
そのような構成により、表示制御手段が、一の可変表示制御信号の受信に応じて識別情報を可変表示させる場合に、あらかじめ定められた特定時点にて、表示される識別情報を所定順に従うことなく何れか他の識別情報に差替える表示制御を行うことを特徴とするので、特定期間内の移行数が異なる演出を同じ可変表示制御信号にもとづいて実行することができるようになる。従って、可変表示制御信号の数を減らすことができる。
【手続補正書】
【提出日】平成24年8月1日(2012.8.1)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域の所定位置に設けられ、遊技球が入球可能な始動入賞口と、
前記遊技領域の所定位置に設けられた開放可能な大入賞口と、
前記始動入賞口への入球を契機とした当否抽選を含む遊技の基本動作を主に制御する主制御装置と、
前記当否抽選の結果を示すための表示処理を含む遊技の演出的動作を主に制御する副制御装置と、
前記当否抽選の結果が当たりか否かを表す図柄の変動が表示される表示装置と、
を備え、
前記主制御装置は、
前記当否抽選と当たり種類の抽選とを実行する抽選手段と、
前記当否抽選の結果が当たりの場合に、前記大入賞口の開放を伴う単位遊技を複数回含む特別遊技を実行する特別遊技制御手段と、
前記当否抽選の結果が当たりと判定される可能性が相対的に高い確率変動遊技へ前記特別遊技の終了後に移行するか、前記当否抽選の結果が当りと判定される可能性が相対的に低い非確率変動遊技へ前記特別遊技の終了後に移行するかを決定し、前記確率変動遊技への移行が決定された場合に前記確率変動遊技を開始し、所定の確率変動遊技終了条件を満たしたときに前記確率変動遊技を終了させる特定遊技実行手段と、
前記抽選手段の抽選結果に基づいて前記図柄の変動過程が定められた複数の変動パターンの中から１の変動パターンを選択する変動パターン決定手段と、
前記変動パターン決定手段により選択された変動パターンにしたがって前記図柄の変動を制御する図柄表示制御手段と、
を備え、
前記変動パターン決定手段は、
前記図柄の変動過程が定められた変動パターンと前記抽選手段による抽選結果との対応関係が定められた複数のパターン選択テーブルの中からいずれかを選択するパターン選択テーブル決定手段を含むと共に、前記パターン選択テーブルとして、前記遊技状態に応じて参照される通常パターン選択テーブルと、前記大入賞口の開放終了後の限定的な期間において参照可能であり前記通常パターン選択テーブルを参照しても選択されることのない特殊変動パターンが選択され得る特殊パターン選択テーブルとを含み、前記パターン選択テーブル決定手段により決定された前記パターン選択テーブルを参照して１つの変動パターンを選択し、
前記副制御装置は、
前記選択された変動パターンに応じて、前記図柄の変動を含む演出の過程が定められた演出パターンを決定する演出決定手段と、
前記決定された演出パターンにしたがって演出を実行する演出実行手段と、
を有し、
前記通常パターン選択テーブルは、非確率変動遊技中に参照される非確率変動用通常パターン選択テーブルと、確率変動遊技中に参照される確率変動用通常パターン選択テーブルと、を含み、
前記特殊パターン選択テーブルは、前記非確率変動遊技中に参照される非確率変動用特殊パターン選択テーブルと、前記確率変動遊技中に参照されて前記非確率変動用特殊パターン選択テーブルと内容が共通する第１確率変動用特殊パターン選択テーブルと、前記確率変動遊技中に参照されて前記第１確率変動用特殊パターン選択テーブルとは異なる内容の第２確率変動用特殊パターン選択テーブルと、を含み、
前記パターン選択テーブル決定手段は、
前記抽選手段による抽選結果が、前記特別遊技の終了後に前記確率変動遊技へ移行し且つ参照すべきパターン選択テーブルを切り替える結果となった場合は、前記第１確率変動用特殊パターン選択テーブルから前記第２確率変動用特殊パターン選択テーブルに切り替える切り替え順序および切り替えタイミングを決定し、前記特別遊技の終了後、決定された切り替え順序および切り替えタイミングにしたがって参照すべきパターン選択テーブルを切り替え、
前記特殊パターン選択テーブルは、あと一つ図柄が揃えば当たりの停止図柄組み合わせとなり得るリーチ態様を伴う複数のリーチ変動パターンのうち特定のリーチ変動パターンが選択される確率が前記通常パターン選択テーブルより高くなるように設定されていることを特徴とする弾球遊技機。
【手続補正書】
【提出日】平成24年11月12日(2012.11.12)
【手続補正１】
【補正対象書類名】特許請求の範囲
【補正対象項目名】全文
【補正方法】変更
【補正の内容】
【特許請求の範囲】
【請求項１】
被験体の所定の動作に伴う代償動作を計測する代償動作計測手段と、
前記代償動作計測手段が計測した前記代償動作の情報に基づいて、前記被験体の身体の物理的な状態を評価する評価手段と、を備えた身体状態評価装置。
【請求項２】
前記代償動作計測手段は、前記所定の動作及び前記代償動作を積極的に制限しないように前記被験体に装着される、請求項１記載の身体状態評価装置。
【請求項３】
前記代償動作計測手段は、前記被験体を左右に分ける中心線上に配置される、請求項２記載の身体状態評価装置。
【請求項４】
前記代償動作計測手段は、前記被験体の胸、臍近傍、左右の肩甲骨の間、及び、腰のいずれかに配置される、請求項３記載の身体状態評価装置。
【請求項５】
前記所定の動作は、第１動作及び前記被験体を左右に分ける中心線に対して前記第１動作と対称な第２動作を含み、
前記代償動作は、前記第１動作に伴う第１代償動作、及び、前記第２動作に伴う第２代償動作を含み、
前記代償動作計測手段は、前記第１代償動作及び前記第２代償動作を計測し、
前記身体状態評価装置は、前記第１代償動作の情報と前記第２代償動作の情報との差を算出する差算出手段をさらに備え、
前記評価手段は、前記差に基づいて前記被験体の身体の物理的な状態を評価する、請求項１から４のいずれかに記載の身体状態評価装置。
【請求項６】
前記代償動作計測手段は、当該代償動作計測手段が配置された前記被験体の部位のぶれ角を前記代償動作として計測する、請求項１から５のいずれかに記載の身体状態評価装置。
【請求項７】
前記代償動作計測手段は、前記所定の動作の開始から終了までの、前記ぶれ角の最大値を前記代償動作として計測する、請求項６記載の身体状態評価装置。
【請求項８】
被験体の所定の動作に伴う代償動作を計測する代償動作計測手段と、
前記代償動作を含んだ前記所定の動作を計測する動作計測手段と、
前記動作計測手段が計測した前記所定の動作の情報から、前記代償動作計測手段が計測した前記代償動作の情報を除いて、本来的に前記所定の動作を行うべき部位によって行われた動きを算出する動き算出手段と、
前記動き算出手段が算出した前記動きの情報に基づいて、前記被験体の身体の物理的な状態を評価する評価手段と、を備える身体状態評価装置。
【請求項９】
前記代償動作計測手段及び前記動作計測手段は、前記被験体の前記代償動作を含む前記所定の動作を積極的に制限しないように前記被験体に装着される、請求項８記載の身体状態評価装置。
【請求項１０】
前記代償動作計測手段及び前記動作計測手段は、前記被験体を左右に分ける中心線上で、かつ、互いに異なる部位に配置される、請求項９記載の身体状態評価装置。
【請求項１１】
前記代償動作計測手段は、前記被験体の胸、臍近傍、左右の肩甲骨の間、及び腰のいずれかに配置され、
前記動作計測手段は、前記代償動作計測手段が前記被験体の胸又は左右の肩甲骨の間に配置された場合、前記被験体の臍近傍及び腰のいずれかに配置され、前記代償動作計測手段が前記被験体の臍近傍又は腰に配置された場合、前記被験体の胸及び左右の肩甲骨の間のいずれかに配置される、請求項１０記載の身体状態評価装置。
【請求項１２】
前記所定の動作は、第１動作及び前記被験体を左右に分ける中心線に対して前記第１動作と対称な第２動作を含み、
前記代償動作は、前記第１動作に伴う第１代償動作、及び、前記第２動作に伴う第２代償動作を含み、
前記代償動作計測手段は、前記第１代償動作および前記第２代償動作を計測し、
前記動作計測手段は、前記第１代償動作を含む前記第１動作および前記第２代償動作を含む前記第２動作を計測し、
前記動き算出手段は、前記第１動作の情報から前記第１代償動作の情報を除いて、本来的に前記第１動作を行うべき部位によって行われた動きと、前記第２動作の情報から前記第２代償動作の情報を除いて、本来的に前記第２動作を行うべき部位によって行われた動きと、を算出し、
前記身体状態評価装置は、本来的に前記第１動作を行うべき前記部位によって行われた前記動きと、本来的に前記第２動作を行うべき前記部位によって行われた前記動きと、の差を算出する差算出手段をさらに備え、
前記評価手段は、前記差算出手段が算出した前記差に基づいて、前記被験体の身体の物理的な状態を評価する、請求項８から１１のいずれかに記載の身体状態評価装置。
【請求項１３】
前記代償動作計測手段は、当該代償動作計測手段が配置された前記被験体の部位のぶれ角を前記代償動作として計測し、
前記動作計測手段は、当該動作計測手段が配置された前記被験体の部位の可動域を前記所定の動作として計測する、請求項８から１２のいずれかに記載の身体状態評価装置。
【請求項１４】
前記代償動作計測手段は、前記所定の動作の開始から終了までの、前記ぶれ角の最大値を前記代償動作として計測する、請求項１３記載の身体状態評価装置。
【請求項１５】
被験体の所定の動作に伴う代償動作を計測するステップと、
計測した前記代償動作の情報に基づいて、前記被験体の身体の物理的な状態を評価するステップと、を含む身体状態評価方法。
【請求項１６】
被験体の所定の動作に伴う代償動作を計測するステップと、
前記代償動作を含んだ前記所定の動作を計測するステップと、
計測した前記所定の動作の情報から、計測した前記代償動作の情報を除いて、本来的に前記所定の動作を行うべき部位によって行われた動きを算出するステップと、
算出した前記動きの情報に基づいて、前記被験体の身体の物理的な状態を評価するステップと、を含む身体状態評価方法。
【請求項１７】
コンピュータに、
被験体の所定の動作に伴う代償動作を計測する代償動作計測手段から、計測された前記代償動作の情報を受信するステップと、
受信した前記代償動作の情報に基づいて、前記被験体の身体の物理的な状態を評価するステップと、を実行させるコンピュータプログラム。
【請求項１８】
コンピュータに、
被験体の所定の動作に伴う代償動作を計測する代償動作計測手段から、計測された前記代償動作の情報を受信するステップと、
前記代償動作を含んだ前記所定の動作を計測する動作計測手段から、計測された前記所定の動作の情報を受信するステップと、
受信した前記所定の動作の情報から、受信した前記代償動作の情報を除いて、本来的に前記所定の動作を行うべき部位によって行われた動きを算出するステップと、
算出した前記動きの情報に基づいて、前記被験体の身体の物理的な状態を評価するステップと、を実行させるコンピュータプログラム。
【手続補正２】
【補正対象書類名】明細書
【補正対象項目名】発明の名称
【補正方法】変更
【補正の内容】
【発明の名称】身体状態評価装置、身体状態評価方法、及び、コンピュータプログラム
【手続補正書】
【提出日】平成24年9月14日(2012.9.14)
【手続補正１】
【補正対象書類名】特許請求の範囲
【補正対象項目名】全文
【補正方法】変更
【補正の内容】
【特許請求の範囲】
【請求項１】
放送波型放送、又は前記放送波型放送に対応付けられており、かつ、サーバから受信するＩＰ型放送のコンテンツを出力するコンテンツ出力部、
前記コンテンツ出力部から前記ＩＰ型放送のコンテンツを出力中、前記サーバとの通信が切断したか否かを判断する監視手段、及び
前記監視手段により前記サーバとの通信が切断したと判断された場合、前記コンテンツ出力部からの出力コンテンツを、ＩＰ型放送から該ＩＰ型放送に対応付けられている放送波型放送のコンテンツへ切替える出力制御手段、
を備える放送受信機。
【請求項２】
前記監視手段は、前記サーバにＰＩＮＧコマンドを送信し、所定時間以内に応答が返されるか否かにより、前記サーバとの通信が切断したか否かを判断する請求項１の放送受信機。
【請求項３】
放送波型放送、又は前記放送波型放送に対応付けられており、かつ、サーバから受信するＩＰ型放送のコンテンツを出力するコンテンツ出力ステップ、
前記ＩＰ型放送のコンテンツを出力中、前記サーバとの通信が切断したか否かを判断する監視ステップ、及び
前記監視ステップで前記サーバとの通信が切断したと判断された場合、前記コンテンツ出力部からの出力コンテンツを、ＩＰ型放送から該ＩＰ型放送に対応付けられている放送波型放送のコンテンツへ切替える出力制御ステップ、
を備える放送受信機制御方法。
【請求項４】
放送波型放送、又は前記放送波型放送に対応付けられており、かつ、サーバから受信するＩＰ型放送のコンテンツを出力するコンテンツ出力ステップ、
前記ＩＰ型放送のコンテンツを出力中、前記サーバとの通信が切断したか否かを判断する監視ステップ、及び
前記監視ステップで前記サーバとの通信が切断したと判断された場合、前記コンテンツ出力部からの出力コンテンツを、ＩＰ型放送から該ＩＰ型放送に対応付けられている放送波型放送のコンテンツへ切替える出力制御ステップ、
をコンピュータに実行させる放送受信機制御プログラム。
【手続補正２】
【補正対象書類名】明細書
【補正対象項目名】００１２
【補正方法】変更
【補正の内容】
【００１２】
本発明の目的は、ユーザに便宜となる放送受信機、制御方法及びプログラムを提供することである。
【手続補正３】
【補正対象書類名】明細書
【補正対象項目名】００１４
【補正方法】変更
【補正の内容】
【００１４】
本発明の放送受信機は、  放送波型放送、又は前記放送波型放送に対応付けられており、かつ、サーバから受信するＩＰ型放送のコンテンツを出力するコンテンツ出力部、
前記コンテンツ出力部から前記ＩＰ型放送のコンテンツを出力中、前記サーバとの通信が切断したか否かを判断する監視手段、及び
前記監視手段により前記サーバとの通信が切断したと判断された場合、前記コンテンツ出力部からの出力コンテンツを、ＩＰ型放送から該ＩＰ型放送に対応付けられている放送波型放送のコンテンツへ切替える出力制御手段、
を備える。
【手続補正４】
【補正対象書類名】明細書
【補正対象項目名】００１５
【補正方法】変更
【補正の内容】
【００１５】
本発明の放送受信機制御方法は、放送波型放送、又は前記放送波型放送に対応付けられており、かつ、サーバから受信するＩＰ型放送のコンテンツを出力するコンテンツ出力ステップ、
前記ＩＰ型放送のコンテンツを出力中、前記サーバとの通信が切断したか否かを判断する監視ステップ、及び
前記監視ステップで前記サーバとの通信が切断したと判断された場合、前記コンテンツ出力部からの出力コンテンツを、ＩＰ型放送から該ＩＰ型放送に対応付けられている放送波型放送のコンテンツへ切替える出力制御ステップ、
を備える。
【手続補正５】
【補正対象書類名】明細書
【補正対象項目名】００１６
【補正方法】変更
【補正の内容】
【００１６】
本発明の放送受信機制御プログラムは
放送波型放送、又は前記放送波型放送に対応付けられており、かつ、サーバから受信するＩＰ型放送のコンテンツを出力するコンテンツ出力ステップ、
前記ＩＰ型放送のコンテンツを出力中、前記サーバとの通信が切断したか否かを判断する監視ステップ、及び
前記監視ステップで前記サーバとの通信が切断したと判断された場合、前記コンテンツ出力部からの出力コンテンツを、ＩＰ型放送から該ＩＰ型放送に対応付けられている放送波型放送のコンテンツへ切替える出力制御ステップ、
をコンピュータに実行させる。
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】変更
【補正の内容】
【００１８】
本発明によれば、ユーザに便宜となる放送受信機、制御方法及びプログラムを提供することができる。